(57)【要約】無線周波数識別（ＲＦＩＤ）リーダーは移動局に含まれる。ＲＦＩＤリーダーは、問い合わせ無線周波数（ＲＦ）信号を送信する送信器を含む。ＲＦＩＤリーダーは、ＲＦＩＤタグの対応する組において生成された応答ＲＦ信号を受信する受信器を含む。夫々の応答ＲＦ信号は、対応するアクセスポイント（ＡＰ）を識別する情報を含む。ＲＦＩＤタグ対は、対応する位置の中の夫々の位置の対応する領域に付随する。ＲＦＩＤリーダーのプロセッサは、信号強度に基づき応答ＲＦ信号を選択し、選択された応答ＲＦ信号に含まれる情報を得る。この情報は、ハンドオフ動作に関連する最も適切な１つである対応するＡＰを複数のＡＰの中から識別するものである。
2017539154.tif 000002
【特許請求の範囲】
【請求項１】
無線通信ネットワークにおいてハンドオフ動作を行うよう構成される移動局であって、
問い合わせ無線周波数（ＲＦ）信号を送信するＲＦ識別（ＲＦＩＤ）送信器と、
複数の位置に夫々位置している複数のＲＦＩＤタグにおいて生成される複数の応答ＲＦ信号を、前記問い合わせＲＦ信号に応答して受信することができるＲＦＩＤ受信段と、
対応するアクセスポイント（ＡＰ）を識別する識別情報を含む前記応答ＲＦ信号のうちの少なくとも１つを選択基準に従って選択し、当該移動局が前記ハンドオフ動作において関連するために複数のアクセスポイント（ＡＰ）の中から前記識別されたＡＰを前記識別情報に従って選択するよう構成されるプロセッサと
を有する移動局。
【請求項２】
前記プロセッサは、信号強度に従って、前記応答ＲＦ信号のうちの前記１つを選択するよう構成される、
請求項１に記載の移動局。
【請求項３】
前記選択された応答ＲＦ信号を前記選択されたＡＰと関連付ける前記選択された応答ＲＦ信号に含まれる前記情報は、前記ハンドオフ動作を行うために前記無線通信ネットワークのプロトコルにおいて当該移動局によって使用可能である、
請求項１に記載の移動局。
【請求項４】
無線通信ネットワークにおいてハンドオフ動作を行う移動局であって、
無線周波数（ＲＦ）タグ対において配置されるＲＦ識別（ＲＦＩＤ）タグに適用される問い合わせＲＦ信号を送信するＲＦＩＤ送信器であり、所与のＲＦＩＤタグ対は、フェーディング効果を低減するためにある距離によって互いから分離されている第１ＲＦＩＤタグ及び第２ＲＦＩＤタグを含み、前記ＲＦＩＤタグ対の中の前記所与のＲＦＩＤタグ対は、前記問い合わせＲＦ信号に応答して、もしあるならば第１応答ＲＦ信号を、及びもしあるならば第２応答ＲＦ信号を夫々生成することが可能である、前記ＲＦＩＤ送信器と、
前記第１応答ＲＦ信号及び前記第２応答ＲＦ信号の両方が生成される場合には、プロセッサによって受信される前記第１応答ＲＦ信号の大きさと前記プロセッサによって受信される前記第２応答ＲＦ信号の大きさとの間の差に従って、前記大きさのうちの一方を選択し、前記所与のＲＦＩＤタグ対が前記第１応答ＲＦ信号及び前記第２応答ＲＦ信号のうちの一方しか生成しない場合には、対応する１つの応答ＲＦ信号の大きさを選択するよう構成される前記プロセッサと
を有し、
前記プロセッサは、複数の位置の中から位置を選択するよう構成され、前記複数の位置の中の所与の位置は、シャドーイング効果を低減するように、対応する複数の前記ＲＦＩＤタグ対を含み、前記所与の位置に含まれる前記複数のＲＦＩＤタグ対は、前記所与の位置にあるＲＦＩＤタグ対に関連する複数の応答ＲＦ信号のうちの少なくとも１つの対応する応答ＲＦ信号を生成し、前記選択された位置は、該選択された位置にある前記複数のＲＦＩＤタグ対に関連する複数の選択された大きさのうちの少なくとも１つの選択された大きさの和に従って選択され、
前記プロセッサは、前記選択された位置に従って、当該移動局が前記ハンドオフ動作において関連するアクセスポイント（ＡＰ）を複数のアクセスポイント（ＡＰ）の中から選択するよう更に構成される、移動局。
【請求項５】
前記プロセッサは、前記選択された位置にある対応するＲＦＩＤタグ対において生成される少なくとも１つの応答ＲＦ信号に含まれる情報に従って、前記ＡＰを選択するよう構成される、
請求項４に記載の移動局。
【請求項６】
前記選択された位置は、前記選択された位置にある前記複数のＲＦＩＤタグ対の中の対応するＲＦＩＤタグ対に関連する夫々の選択された大きさの前記和に従って、選択される、
請求項４に記載の移動局。
【請求項７】
前記選択された位置は、前記複数の位置の中の他の位置の夫々に関連する、同様にして求められた夫々の和よりも大きい前記和に従って、選択される、
請求項６に記載の移動局。
【請求項８】
当該移動局は、前記選択された位置にある対応するＲＦＩＤタグ対において生成される少なくとも１つの応答ＲＦ信号に含まれる情報に従って、前記選択されたＡＰに適用可能なプロトコルを適用するよう構成される、
請求項４に記載の移動局。
【請求項９】
動き検出器を更に有し、
前記ＲＦＩＤ送信器は、前記動き検出器が当該移動局の動きを検出した後に前記問い合わせＲＦ信号を送信するよう、前記動き検出器の出力に応答する、
請求項４に記載の移動局。
【請求項１０】
前記ＲＦＩＤタグ対の夫々は、前記所与の位置の複数の領域の中の対応する領域に夫々付随する、
請求項４に記載の移動局。
【請求項１１】
前記距離は、前記所与のＲＦＩＤタグ対で生成される前記複数の応答ＲＦ信号の中のある応答ＲＦ信号の周波数に基づき、λ／４以上であり且つλ／２以下である、
請求項４に記載の移動局。
【発明の詳細な説明】
【技術分野】
【０００１】
本発明は、無線ネットワーク、特に、例えば、ローカルエリア無線コンピュータネットワーキング（Ｗｉ−Ｆｉ）において、ハンドオフ遅延を低減するための無線周波数識別（ＲＦＩＤ；radio  frequency  identification）タグシステムを対象とする。
【０００２】
本願は、２０１４年１１月２６日付けで出願された、System  for  Identifying  a  Location  of  a  Mobile  Tag  Readerと題された欧州特許出願第１４３０６８９５．５号に基づく優先権を主張し、対応する出願予定の米国特許出願（PF140319-US-PCT）の一部係属出願（ＣＩＰ）を形成する。
【背景技術】
【０００３】
ＩＥＥＥ８０２．１１標準において、拡張サービスセット（ＥＳＳ；Extended  Service  Set）は、２つ以上の基本サービスセット（ＢＳＳ；Basic  Service  Set）を指す。基本サービスセットの各々のアクセスポイント（ＡＰ；Access  Points）は、分配システム（ＤＳ；Distribution  System）と称される有線ネットワークを通じて通信する。ＢＳＳはＡＰアンテナ（ant）を含む。その関連する移動局は、無認可の産業科学医療用（ＩＳＭ；Industrial  Scientific  and  Medical）無線帯域において通信する。移動局（ＭＳ；mobile  station）がＡＰの無線範囲を越えて移動し、他のＢＳＳの無線範囲に入るとき、ＭＳはハンドオフプロセスをトリガーする。ハンドオフプロセスは、２００ｍｓから最大で１０００ｍｓを要し得る。そのような大きい遅延範囲は、例えば、ボイス・オーバー・インターネットプロトコル（ＶｏＩＰ；Voice  over  Internet  Protocol）のような、遅延に敏感な用途にとって好ましくないことがある。ＶｏＩＰは、インターネットプロトコル（ＩＰ）を介した音声通信及びマルチメディアセッションの配信のための方法及びテクノロジ群である。ＶｏＩＰのために、推奨される最大のエンド間レイテンシーは１５０ｍｓである。
【０００４】
ＩＥＥＥ８０２．１１標準において、ＭＳは、受信信号強度及び信号対雑音比が著しく低下したときに、ハンドオフプロセスを開始する。ＭＳは、次に関連する新しいＡＰを受動的に又は能動的に走査することができる。受動的スキャン（passive  scan）よりも速い高速な能動的スキャン（active  scan）の場合に、ＭＳは、プローブフレームをブロードキャストし、最低チャネル時間（Ｔｍｉｎ）の間応答を待ち、そして、少なくとも１つの応答がＴｍｉｎ内で受信された場合には、最大チャネル時間（Ｔｍａｘ）が経過するまで走査を続ける。このように、ｎ個のチャネルを精査するための時間（Ｔｐｒｏｂｅ）は、ｎ×Ｔｍｉｎ≦Ｔｐｒｏｂｅ≦ｎ×Ｔｍａｘによって与えられる。この情報は、次に関わるべきＢＳＳはどれかを決定するためにＭＳによって処理される。一般に、Ｔｐｒｏｂｅは、ハンドオフ遅延の９０％を構成する。ハンドオフレイテンシーを低減することが好ましい。Apostolia  Papapostolou  and  Hakima  Chaouchiの名義でWireless  Communications  and  Networking  Conference（ＷＣＮＣ），2010  IEEEにおいて公開された、Handoff  Management  relying  on  RFID  Technologyと題された論文（非特許文献１）は、ＲＦＩＤシステムと協調してネットワークによって提供されるトポロジ情報を使用することによってＲＦＩＤ対応ＭＳの次の接続点（ＰｏＡ；point  of  attachment）を予測することを提案している。
【０００５】
ＲＦＩＤリーダーの使用はまた、例えば、国際公開第２００５／０７１５９７号（特許文献１）において記載されている。その特許文献において、個人を導くためのナビゲーション及び位置決定のための、ＲＦＩＤタグ配列に基づく“スマートフロア”システムは、間隔をあけられた複数のＲＦＩＤタグを含む。夫々のＲＦＩＤタグは、タグの近くに配置された物体又は構造の位置情報及び属性を含む情報が記憶されているメモリを備えている。タグは、受け取られた電磁励起場に応答して、位置情報及び属性を含む無線周波数（ＲＦ）信号を搬送する。
【０００６】
超高周波（ＵＨＦ；ultrahigh  frequency）帯域において動作する長距離ＲＦＩＤタグシステムは、ライン・オブ・サイト（ＬＯＳ；line  of  sight）条件において通常１２ｍである範囲を有している。この範囲は、シャドーイング効果を生じさせる人々又は家具のような各種の障害物によって引き起こされるＲＦＩＤタグ又はＲＦＩＤリーダーの何らかの妨害によって大幅に低減され得る。
【０００７】
屋内環境で直面するマルチパス周波数選択性フェーディングにより、受信されるＲＦ信号の相当のレベル変動が、数センチメートルの距離内でさえ経験される。図５は、２ｍ×２ｍの座標Ｘ及びＹを夫々有している屋内エリア内におけるＵＨＦ周波数での受信ＲＦ信号の大きさの変動の例を表すグラフを示す。図５に示されるように、最大４０ｄＢｍのＲＦ信号の変動が、数十センチメートルの距離にわたって目に留まる。そのような高速フェーディング信号は、不都合なことに、同じエリア内にある近くのＲＦＩＤリーダーからの送信についてさえ、１つのＲＦＩＤタグのアクティブ化を妨げる。一方で、近隣エリア内にある他のＲＦＩＤタグは、不都合なことに、アクティブ化されて、１つのＲＦＩＤタグが位置しているエリア内にあるＲＦＩＤリーダーによって読み取られ得る。図６のグラフに表されているように、ＲＦＩＤタグが、同じエリア内にあるＲＦＩＤリーダーによって送信された信号に対して、領域６６においていわゆるフェードに位置する状況が、起こり得る。他方で、別のエリアに位置するＲＦＩＤタグは、いわゆる頂点６８に位置し得る。
【先行技術文献】
【特許文献】
【０００８】
【特許文献１】国際公開第２００５／０７１５９７号
【非特許文献】
【０００９】
【非特許文献１】Apostolia  Papapostolou  and  Hakima  Chaouchi，“Handoff  Management  relying  on  RFID  Technology”，Communications  and  Networking  Conference（ＷＣＮＣ），2010  IEEE
【発明の概要】
【００１０】
本開示の態様に従って、移動局は、線通信ネットワークにおいてハンドオフ動作を行うよう構成される。移動局は、問い合わせ無線周波数（ＲＦ）信号を送信するＲＦ識別（ＲＦＩＤ）送信器を含む。ＲＦＩＤ受信段は、複数の位置に夫々位置している複数のＲＦＩＤタグにおいて生成される複数の応答ＲＦ信号を、前記問い合わせＲＦ信号に応答して受信することができる。プロセッサは、対応するアクセスポイント（ＡＰ）を識別する識別情報を含む前記応答ＲＦ信号のうちの少なくとも１つを選択基準に従って選択し、当該移動局が前記ハンドオフ動作において関連するために複数のアクセスポイント（ＡＰ）の中から前記識別されたＡＰを前記識別情報に従って選択するよう構成される。
【００１１】
本開示の他の態様に従って、移動局は、無線通信ネットワークにおいてハンドオフ動作を行う。移動局は、無線周波数（ＲＦ）タグ対において配置されるＲＦ識別（ＲＦＩＤ）タグに適用される問い合わせＲＦ信号を送信するＲＦＩＤ送信器を含む。所与のＲＦＩＤタグ対は、フェーディング効果を低減するためにある距離によって互いから分離されている第１ＲＦＩＤタグ及び第２ＲＦＩＤタグを含む。前記ＲＦＩＤタグ対の中の前記所与のＲＦＩＤタグ対は、前記問い合わせＲＦ信号に応答して、もしあるならば第１応答ＲＦ信号を、及びもしあるならば第２応答ＲＦ信号を夫々生成することができる。プロセッサは、前記第１応答ＲＦ信号及び前記第２応答ＲＦ信号の両方が生成される場合には、前記プロセッサによって受信される前記第１応答ＲＦ信号の大きさと前記プロセッサによって受信される前記第２応答ＲＦ信号の大きさとの間の差に従って、前記大きさのうちの一方を選択し、前記所与のＲＦＩＤタグ対が前記第１応答ＲＦ信号及び前記第２応答ＲＦ信号のうちの一方しか生成しない場合には、対応する１つの応答ＲＦ信号の大きさを選択するよう構成される。前記プロセッサは、複数の位置の中から位置を選択するよう更に構成される。前記複数の位置の中の所与の位置は、シャドーイング効果を低減するように、対応する複数の前記ＲＦＩＤタグ対を含む。前記所与の位置に含まれる前記複数のＲＦＩＤタグ対は、前記所与の位置にあるＲＦＩＤタグ対に関連する複数の応答ＲＦ信号のうちの少なくとも１つの対応する応答ＲＦ信号を生成する。前記選択された位置は、該選択された位置にある前記複数のＲＦＩＤタグ対に関連する複数の選択された大きさのうちの少なくとも１つの選択された大きさの和に従って選択される。前記プロセッサは、前記選択された位置に従って、当該移動局が前記ハンドオフ動作において関連するアクセスポイント（ＡＰ）を複数のアクセスポイント（ＡＰ）の中から選択するよう更に構成される。
【図面の簡単な説明】
【００１２】
【図１】好適な実施形態を具現化する、ＲＦＩＤ接続型タグ対を夫々の位置で有している建物の例を概略的に表す。
【図２】図１のＲＦＩＤタグ対の部分ブロック図を表す。
【図３】好適な実施形態を具現化する、ＲＦＩＤタグリーダーを含むモバイルデバイスの部分ブロック図を表す。
【図４】図３のプロセッサの動作を説明するフローチャートを表す。
【図５】受信されたＲＦ信号の大きさの変動の例を示すグラフを表す。
【図６】受信されたＲＦ信号のフェーディング効果を例示するグラフを表す。
【発明を実施するための形態】
【００１３】
図１は、建物１００のような住宅構造を概略的に表す。建物１００は、例えば、４つの位置、夫々部屋１、部屋２、部屋３及び部屋、を含む。図１の建物１００内の部屋１及び３の夫々において、対応する無線アクセスポイント（ＡＰ）、夫々ＡＰ１及びＡＰ３が、設置されている。ＡＰ１及びＡＰ３の夫々は、無線デバイスがＷｉ−Ｆｉ又は関連するプロトコルを用いてネットワーク２００へ接続することを可能にする。夫々のＡＰは、通常、スタンドアローンのデバイスとしてルータへ（有線ネットワークを経由して）接続するが、それはまた、ルータ自体の一体コンポーネントであることもできる。
【００１４】
住宅建物１００の各部屋において、例えば、部屋１において、４つの全く同じ無線周波数識別（ＲＦＩＤ）タグセット、すなわち、ＲＦＩＤタグ対１１、ＲＦＩＤタグ対１２、ＲＦＩＤタグ対１３及びＲＦＩＤタグ対１４が設置されている。ＲＦＩＤタグ対１１、１２、１３及び１４は、シャドーイングの影響を低減するように、互いから間隔をあけられている。セットは、一対よりも多いＲＦＩＤタグを含んでよいことが理解されるべきである。しかし、好適な実施形態では、各セットは一対のＲＦＩＤタグしか含まない。
【００１５】
ＲＦＩＤタグ対１１は、壁５０の領域１１５−１１内に組み込まれるか、又はその領域１１５−１１に固定される。同様に、ＲＦＩＤタグ対１２、１３及び１４は、壁５１の領域１１５−２、天井５２の領域１１５−１３、及び床５３の領域１１５−１４内に夫々組み込まれるか、又はそれらの領域に夫々固定される。ＲＦＩＤタグ対１１、１２、１３及び１４は、単に部屋１と及びＡＰ１と関連付けられており、いずれも如何なる他の部屋と又は他のＡＰと関連付けられていない。ＲＦＩＤタグ対２１、ＲＦＩＤタグ対２２、ＲＦＩＤタグ対２３及びＲＦＩＤタグ対２４は、同様に、部屋２において設置されており、部屋２と及びＡＰ３と関連付けられ、いずれも如何なる他の部屋と又は他のＡＰと関連付けられていない。ＲＦＩＤタグ対３１、ＲＦＩＤタグ対３２、ＲＦＩＤタグ対３３及びＲＦＩＤタグ対３４は、同様に、部屋３において設置されており、部屋３と及びＡＰ３と関連付けられ、いずれも如何なる他の部屋と又は他のＡＰと関連付けられていない。最後に、ＲＦＩＤタグ対４１、ＲＦＩＤタグ対４２、ＲＦＩＤタグ対４３及びＲＦＩＤタグ対４４は、同様に、部屋４において設置されており、部屋４と及びＡＰ１と関連付けられ、いずれも如何なる他の部屋と又は他のＡＰと関連付けられていない。所与の部屋と関連付けられることは、対応するＲＦＩＤタグ対がその所与の部屋に収容されていることを示す。所与のＡＰと関連付けられることは、対応するＡＰがハンドオフプロセスにおいて関連付け又は再関連付けすべき好ましいＡＰでありうることを示す。
【００１６】
夫々のＲＦＩＤタグ対、例えば、図２のＲＦＩＤタグ対１１は、ＲＦＩＤタグ１１ａ及びＲＦＩＤタグ１１ｂを含むセットを形成する。夫々のＲＦＩＤタグは、通電のために電源への有線接続を必要としないパッシブ型である。図１及び２における同様の符号及び数字は、同様の項目又は機能を示す。
【００１７】
例えば、図２のＲＦＩＤタグ１１ａは、その固定のために接着剤により軟質のプラスチック基板１１５の上に構成された薄い紙である。基板１１５は、任意に透明であってよく、あるいは、視覚的に目立たないように壁／天井の色を有してよい。ＲＦＩＤタグ１１ａは、半球形又は半空間放射カバレッジを有する、エッチング加工された指向性アンテナ１１０と、データを記憶するメモリ１１２及び従来の方法でアンテナ１１０へ結合されるトランシーバ１１３を含む微小チップ１１４とを含む。メモリ１１２内のデータは、ＲＦＩＤタグ１１ａが設置されている部屋及び領域（本例では、図１の部屋１、領域１１５−１１及び壁５０である。）を識別する識別子（図示せず。）を含み得る。それは、ＲＦＩＤタグ対識別子（本例では、ＲＦＩＤタグ１１ａを、ＲＦＩＤタグ対１１に含まれており、ＲＦＩＤタグ１１ａを同じＲＦＩＤタグ対１１の他のＲＦＩＤタグ１１ｂと区別する識別部分を有するものとして識別する。）を更に含み得る。加えて、それは、ハンドオフプロセスにおける好ましいＡＰ（本例では、ＡＰ１である。）をアドレッシングし且つ関連付け又は再関連付けするためにＷｉ−Ｆｉ無線ネットワーク２００のプロトコルによって必要とされる必要な情報を含み得る。ＲＦＩＤタグ１１ｂは、ＲＦＩＤタグ１１ａと同様に軟質のプラスチック基板１１５の上に構成され得るが、ＲＦＩＤタグ１１ａから距離ｄにおいて図１の壁５０に取り付けられる。ＲＦＩＤタグ１１ａ及びＲＦＩＤタグ１１ｂは、ＲＦＩＤタグ１１ｂをＲＦＩＤタグ１１ａと区別する識別子（図示せず。）を除いて、実質的に同じであり得る。
【００１８】
図３は、例えば、Ｗｉ−Ｆｉ無線ネットワーク２００において図１のＡＰ１及びＡＰ３を経由して通信することができるモバイルデバイス（例えば、スマートフォン６０）の部分ブロック図を表す。スマートフォン６０はまた、有利な特徴を具現化する、ＲＦ受信器及びＲＦ送信器の両方を形成するＲＦＩＤタグリーダー６１を含む。図１、２及び３における同様の符号及び数字は、同様の項目又は機能を示す。図３のリーダー６１を含むスマートフォン６０がユーザ（図示せず。）によって持ち運ばれる場合に、それは、例えば、モバイルスマートフォン６０が位置している図１の部屋１〜４の中の部屋と、モバイルスマートフォン６０がそのような部屋に位置するときには、ハンドオフプロセスにおけるスマートフォン６０との関連付け又は再関連付けのために最も適切であるＡＰとを識別するために使用され得る。
【００１９】
図３のＲＦＩＤリーダー６１は、デジタル信号プロセッサ（ＤＳＰ；digital  signal  processor）として実現され得るプロセッサ６４を含む。プロセッサ６４は、プロセッサ６４をメモリ６６へ及び動き検出器６７（例えば、加速度計）へ結合するためにバス６５へ結合されている。プロセッサ６４は、ＲＦＩＤトランシーバ６２を経由してアンテナ６３へ結合されている。
【００２０】
プロセッサ６４の動作は、図４のフローチャートに関連して説明される。図１、２、３及び４における同様の符号及び数字は、同様の項目又は機能を示す。図４の動作ブロック４００において、図３のプロセッサ６４は、動き検出器６７からの運動又は動きのインジケーション（図示せず。）を待つ。運動のインジケーションは、ＲＦＩＤタグリーダー６１を含むスマートフォン６０が移動されているかどうかを判定するよう、図４の決定ブロック４０１において検証される。動き検出器６７がポータブルＲＦＩＤリーダー６１の運動を示す場合に、結果は図４の決定ブロック４０１において“はい”である。その結果として、ブロック４０２で、図３のプロセッサ６４は、問い合わせ又は選択ＲＦ信号６３ａの送信を発生させるようトリガーされる。ＲＦ信号６３ａは、夫々のＲＦＩＤタグ、例えば、図１のタグ対１１の図２のＲＦＩＤタグ１１ａを順次に且つ選択的にアドレッシングするためのアドレスを含むように変調されている。動き検出器６７がポータブルＲＦＩＤリーダー６１の運動を示すようになるまでは通信を開始しないことによって、ＲＦＩＤリーダー６１の電流消費は、有利なことに、スマートフォン６０のバッテリ（図示せず。）における充電を節約するように低減される。
【００２１】
振幅変調（ＡＭ；amplitude  modulation）、位相変調（ＰＭ；phase  modulation）、及び周波数変調（ＦＭ；frequency  modulation）を含め、対応するＲＦＩＤタグとの間でデータを送信及び受信するための様々な技術を使用することが知られている。更に、送信されるデータは、周波数シフトキーイング（ＦＳＫ；frequency  shift  keying）、パルス位置変調（ＰＰＭ；pulse  position  modulation）、パルス幅変調（ＰＤＭ；pulse  duration  modulation）、及び振幅シフトキーイング（ＡＳＫ；amplitude  shift  keying）を含む様々な技術のうちのいずれかにより符号化され得る。
【００２２】
図１の例において、図２のＲＦＩＤタグ１１ａは、図３のアンテナ６３によって生成されたＲＦ場にさらされる。その結果として、ＲＦＩＤタグ１１ａは、送信器として動作するリーダー６１のアンテナ６３のＲＦ伝送からのエネルギを吸収し、吸収されたエネルギを、図２のチップ１１４に給電するために使用して、データ取り出し及びデータ送信を行う。例えば、ＲＦＩＤタグ１１ａを対象とする図３の問い合わせ又は選択ＲＦ信号６３ａの送信を復号すると、図２のＲＦＩＤタグ１１ａのメモリ１１２に記憶されている前述の情報は、アンテナ１１０によって送信され、本例では、対応する応答ＲＦ信号１１１ａが、受信器として動作する図３のリーダー６１のアンテナ６３を介して受信される。
【００２３】
図４の動作ブロック４０３において、図３のプロセッサ６４は、応答ＲＦ信号１１１ａを検出し、対応する受信信号強度表示（ＲＳＳＩ；Receiver  Signal  Strength  Indicator）をメモリ６６において記憶する。ＲＳＳＩは、タグ対１１の図２のＲＦＩＤタグ１１ａから受信された応答ＲＦ信号の大きさを示す。加えて、図３のプロセッサ６４は、部屋番号（本例では、部屋１である。）のような対応する識別情報と、アドレッシング情報を含む、関連するＡＰ（本例では、部屋１と関連付けられているＡＰ１である。）を識別することができる情報とをメモリ６６において記憶する。そのようなアドレッシング情報は、Ｗｉ−Ｆｉネットワーク２００のプロトコルにより関連するＡＰ１と通信するためにスマートフォン６０によって必要とされ得る。図３のプロセッサ６４はまた、応答ＲＦ信号１１１ａに含まれている情報からＲＦＩＤタグ１１ａを識別する番号をメモリ６６において記憶する。同様に、図３のＲＦＩＤリーダー６１は、図２のＲＦＩＤタグ１１ｂと、及び図１のＲＦＩＤタグ対１２〜１４、２１〜２４、３１〜３４及び４１〜４４の残りのＲＦＩＤタグの夫々と、夫々一連の時間スロットの間に（図示せず。）通信する。その結果、もしあれば、図１のＲＦＩＤタグ対１１〜１４、２１〜２４、３１〜３４及び４１〜４４において生成された夫々の対応するＲＦＩＤ信号についての対応する情報は、応答ＲＦ信号１１１ａについての情報が記憶されたのと同様にして、図３のメモリ６６において記憶される。
【００２４】
ブロック４０３で、応答ＲＦ信号が図１のＲＦＩＤタグ対１１〜１４、２１〜２４、３１〜３４及び４１〜４４の対象ＲＦＩＤタグのいずれからも図３のプロセッサ６４によって受信されない場合（Ｔ＝０によって表される。）に、図４の決定ブロック４０４において、図３のプロセッサ６４は、決定ブロック４０４の“はい”経路によって示されるように、問い合わせの送信を送り続ける。他方で、前述の一連の時間スロットにおいて少なくとも１つの応答ＲＦ信号が受信された場合には、決定ブロック４０４の“いいえ”回答は、動作ブロック４０５が続くことを示す。
【００２５】
図４の動作ブロック４０５において、図３のプロセッサ６４は、夫々の応答ＲＦＩＤタグ対で生成された応答ＲＦ信号対の各セットの中から最も大きい（応答ＲＦ信号の対の場合には、大きい方の）記憶されているＲＳＳＩ値を選択する。例えば、ＲＦＩＤタグ対１１の図２のＲＦＩＤタグ１１ａ及び１１ｂで夫々発せられた、図１及び２の応答ＲＦ信号１１１ａ及び１１１ｂについて、応答ＲＦ信号１１１ａは、応答ＲＦ信号１１１ｂのＲＳＳＩ値よりも大きいＲＳＳＩ値を有することが起こるとする。この場合に、応答ＲＦ信号１１１ａのＲＳＳＩ値が選択されて記憶される。これはまた、ＲＦ信号１１１ａが受信されるが、応答ＲＦ信号１１１ｂは検出されないという特別な状況において当てはまる。上述されたように、タグ対１１は、図２の基板１１５が取り付けられている図１の部屋１の壁５０の一部分の領域１１５−１１に付随する。同様の通信プロセスは、図１の対応するＲＦＩＤタグ対１２〜１４、２１〜２４、３１〜２４及び４１〜４４において発せられた他の応答ＲＦ信号の夫々に関して適用される。例えば、ＲＦ信号１２１ａ及びＲＦ信号１２１ｂを含む応答ＲＦ信号対のセットのうち大きい方のＲＦ信号１２１ａに関連する記憶されたＲＳＳＩ値は、更なる処理ステップにおいてタグ対１２を表すために選択され得る。一方で、本例では、応答ＲＦ信号１２１ｂの記憶されたＲＳＳＩ値は選択されず、あるいは、如何なる更なる効果も有することから除外される。同様に、応答ＲＦ信号２１１ａに関連する記憶されたＲＳＳＩ値は、以降の処理ステップにおいてタグ対２１を表すために選択され、一方で、本例では、応答ＲＦ信号２１１ｂの記憶されたＲＳＳＩ値は選択されない。同様に、応答ＲＦ信号２１４ａに関連する記憶されたＲＳＳＩ値は、タグ対２４のために選択され、一方で、本例では、応答ＲＦ信号２４１ｂの記憶されたＲＳＳＩ値は選択されない。
【００２６】
その後、動作ブロック４０６及び決定ブロック４０７において、図３のプロセッサ６４は、メモリ６６に記憶されている情報に従って、応答ＲＦ信号の夫々が単一の部屋に由来しているのか又は単一のＡＰと関連付けられているのかどうかを判定する。本例では、それは単に、夫々、図１の部屋１又はＡＰ１であってよい。
【００２７】
大部分の状況において、全ての応答ＲＦ信号は単一の部屋に由来する可能性が高い。このように、図４の決定ブロック４０７における回答が“はい”である場合に、図３のプロセッサ６４は、図４の動作ブロック４１０において、図３の移動局６０が位置している部屋を決定する。図１の例では、図３のプロセッサ６４は、移動局６０が部屋１にあると決定する。同じ動作はまた、モバイルスマートフォン６０がハンドオフプロセスにおいて望ましくは関連すべきＡＰを決定する。図１の例では、プロセッサ６４は、モバイルスマートフォン６０が望ましくはＡＰ１と関連すべきであると決定する。
【００２８】
他方で、まれに起こる状況において、全ての応答ＲＦ信号が単一の部屋に由来するわけではなく、あるいは、全ての応答信号が単一のＡＰと関連付けられるわけではない。これは、図４の前述の決定ブロック４０７において回答“いいえ”をもたらす。従って、動作ブロック４０８が続く。このように、動作ブロック４０８は、ＲＦＩＤリーダー６１が、例えば、部屋１に由来し且つ図１のＡＰ１と関連付けられる応答ＲＦ信号１１１ａに加えて、例えば、応答ＲＦ信号２１１ａ、応答ＲＦ信号２１１ｂ、又はその両方も受信する場合に、続く。応答ＲＦ信号２１１ａ及び２１１ｂは、モバイルスマートフォン６０が現在位置している部屋１の外にある部屋２のＲＦＩＤタグ対２１において生成されている。同様に、応答ＲＦ信号２１１ａ及び２１１ｂは、本例では、部屋３にあるＡＰ３と関連付けられている。ＲＦＩＤリーダー６１は、例えば、部屋２に位置しており且つやはりＡＰ３と関連付けられているＲＦＩＤタグ対２４から発せられた応答ＲＦ信号２４１ａ若しくは応答ＲＦ信号２１４ｂ又はその両方を更に受信し得る。後述されるように、動作ブロック４０８において、並びに続く動作ブロック４０９及び４１０において、応答ＲＦ信号に含まれるか又はそれから得られる情報を用いて、図３のプロセッサ６４は、スマートフォン６０が位置している部屋番号を決定し、同様に、モバイルスマートフォン６０がハンドオフプロセスにおいて関連するよう望ましくは選択すべきＡＰを決定する。
【００２９】
例えば、タグ対２１に由来する応答ＲＦ信号は、屋内環境において直面される前述のマルチパス周波数選択性フェーディングの問題を陥りやすい。結果として、直感に反して、部屋２において生成され且つＡＰ３と関連付けられている受信された応答ＲＦ信号２１１ａは、モバイルスマートフォン６０が現在位置している図１の部屋１において生成され且つＡＰ１と関連付けられている受信された応答ＲＦ信号１１１ａよりもずっと大きいことが起こり得る。これは、誤った決定を引き起こす識別エラーを生じさせることとなり得る。そのような誤った決定は、例えば、モバイルスマートフォン６０が実際に位置している部屋１のＡＰ１の正しい決定に代えて、モバイルスマートフォン６０が位置している部屋が部屋２であり、モバイルスマートフォン６０が関連するよう望ましくは選択すべきＡＰがＡＰ３であることを示す。そのような誤りを回避するよう、夫々のＲＦＩＤタグ対のＲＦＩＤタグ、例えば、図２のＲＦＩＤタグ対１１のＲＦＩＤタグ１１ａ及び１１ｂは、前述の距離ｄによって互いから分離される。
【００３０】
距離ｄは、放射ＲＦ信号の周波数に関連するコヒーレンス距離λ／４よりも大きいよう選択される。この距離は、９００ＭＨｚで、約８ｃｍである。なお、距離ｄはまた、λ／２よりも小さいよう選択される。この距離は、９００ＭＨｚで、約１６ｃｍである。距離ｄがコヒーレンス距離λ／４よりも大きいので、例えば、ＲＦＩＤタグ１１ａ及び１１ｂにおいて夫々生成された応答ＲＦ信号１１１ａ及び１１１ｂの両方が同時にマルチパス周波数選択性フェーディングの問題に直面することは起こりそうもない。このように、屋内環境において、例えば、図１の部屋１乃至部屋４において、直面され得るマルチパス周波数選択性フェーディングの問題は、有利なことに緩和される。
【００３１】
先に言及された例では、夫々の選択された応答ＲＦ信号１１１ａ、１２１ａ、２１１ａ及び２４１ａは、対応するＲＦＩＤタグ対において生成された応答ＲＦ信号の対のうち大きい方のＲＳＳＩ値を有することに基づき選択された。図４の動作ブロック４０８において、対応する部屋にある夫々のタグ対からの全ての選択された大きい方の応答ＲＦ信号の記憶されたＲＳＳＩ値、例えば、図１の部屋１に由来するＲＦ信号１１１ａ及び１２１ａの夫々の大きさ又はＲＳＳＩは、累積的な大きさを形成するよう結合される。累積的な大きさは、部屋１に関連する第１の和を生成するよう応答ＲＦ信号１１１ａのＲＳＳＩ及び応答ＲＦ信号１２１ａのＲＳＳＩを代数的に加算することによって形成される。同様に、例えば、部屋２に由来する応答ＲＦ信号２１１ａ及び２４１ａのうちの夫々の選択された大きい方のＲＦ信号の記憶されたＲＳＳＩ値も、例えば、部屋２に関連する第２の和を生成するよう代数的に加算されることによって、累積的な大きさを形成するよう結合される。同様の演算は、もしあれば、部屋３及び４に関連する全ての選択された応答ＲＦ信号の記憶されたＲＳＳＩ値に対して行われる。それらの値は、もしあれば、第３の和の累積的な大きさを、もしあれば、第４の和の累積的な大きさを夫々形成するよう結合される。
【００３２】
図１の例において示されるように、部屋１〜４の夫々におけるＲＦＩＤタグ対の数は、他の部屋の夫々におけるＲＦＩＤタグ対の数と等しい。然るに、図３のプロセッサ６４は、第１、第２、第３及び第４の和の中から最も大きいものを選択するために、第１、第２、第３及び第４の和を互いに比較する。これは、図４のブロック４１０で実施される。図４のブロック４１０で、図３のプロセッサ６４は、第１、第２、第３及び第４の和の中で最も大きいものに関連する部屋を決定することによって、部屋１〜４の中から、スマートフォン６０が位置している特定の部屋を決定する。同じようにして、より詳細に後述されるように、図３のプロセッサ６４は、第１、第２、第３及び第４の和の中で最も大きいものに関連するＡＰ（ＡＰ１又はＡＰ３）を、ハンドオフプロセスにおいて関連するために選択されるべき最も適切なＡＰであると決定する。
【００３３】
図４の先のブロック４０９において表されたように、図３のプロセッサ６４は、スマートフォン６０を含む正確な部屋であるその部屋の、及びハンドオフプロセスにおいて関連すべき最も好ましいＡＰであるそのＡＰの確率を更に計算してよい。この確率は、分子として第１、第２、第３及び第４の和の中で最も大きいものを、そして、分母として第１、第２、第３及び第４の和の総計を有している分数に等しい。
【００３４】
第１、第２、第３及び第４の和の中で最も大きいものに関連する夫々の応答ＲＦ信号は、スマートフォン６０と、ハンドオフ動作において次に関連すべき選択されたＡＰ（図１のＡＰ１又はＡＰ３）との間の通信を開始するためのプロトコルにおいて含まれるべき十分な情報を含み得る。代替案として、図３のＲＦＩＤリーダー６１のメモリ６６は、移動局６０が所与の部屋に存在する場合に次に関連すべきＡＰの情報をテーブル（図示せず。）において含み得る。前述の例では、テーブルは、図３のＲＦＩＤリーダー６１が部屋１又は部屋２のいずれか一方に位置している場合にＡＰ１が関連すべき適切なＡＰであることを示す。他の代替案では、部屋１又は部屋２に由来する夫々の応答ＲＦ信号は、ハンドオフプロセスにおいて関連すべき最も適切なＡＰとしてのＡＰ１の選択を可能にする十分な情報を含む。
【００３５】
一実施形態（図示せず。）において、モバイルスマートフォン６０が位置している夫々の部屋について、ユーザは、スマートフォン６０に、次に関連すべき好ましいＡＰである対応する１つのＡＰ（図１のＡＰ１又はＡＰ３）とのＷｉ−Ｆｉ通信を開始することをスマートフォン６０に可能にするための十分な情報をメモリ６６において記憶させることができる。例えば、ユーザコマンドに応答して又は自動的に開始され得る、動作のセットアップ又は学習モードにおいて、スマートフォン６０は、モバイルスマートフォン６０が位置している所与の部屋について手探り法（trial  and  error）によって、次に関連すべき適用可能なＡＰ（図１のＡＰ１又はＡＰ３）とのＷｉ−Ｆｉ通信を開始するためにスマートフォン６０によって必要とされる情報を決定することができる。この情報は、次いで、例えば、将来の動作のためにメモリ６６において含まれるローカルテーブル（図示せず。）において記憶される。
【００３６】
図４の動作ボックス４１０に続いて、ハンドオフ動作において関連すべき次のＡＰの決定が既に完了している場合に、図１のスマートフォン６０は、図４の動作ブロック４１１のネットワーク２００のハンドオフプロセスを続ける。
【００３７】
例えば、ＡＰ１が関連すべき好ましいＡＰである図１の部屋１から、図３にあるＡＰ３が関連すべき好ましいＡＰである部屋２へ、スマートフォン６０が移動するとする。ハンドオフプロセスを完了するために、前述のＲＦＩＤプローブ応答（RFID-probe-response）が図１のＡＰ３に対応することを確かめるように、図３のモバイルスマートフォン６０は、ＩＥＥＥ８０２．１１（Ｗｉ−Ｆｉ）ハンドオフプロセスにおいて定義されているのと同様にして、Ｗｉ−Ｆｉネットワーク２００において、次のＡＰ（図１のＡＰ３）にアドレッシングされた新しいＡＰプローブ要求（New-AP-probe-request）をブロードキャストすることができる。よって、前述のＲＦＩＤプローブ応答は、本例では、図３のモバイルスマートフォン６０が図１のＡＰ３から新しいＡＰプローブ応答を受信する場合に終了する。その後、例えば、ＩＥＥＥ８０２．１１（Ｗｉ−Ｆｉ）ハンドオフプロセスにおいて定義された認証フェーズ（Authentication  Phase）が従来通りに続く。このフェーズは、図１のＡＰ３から図３のモバイルスマートフォン６０へのクレデンシャル及び他の状態情報の要求及び転送を伴う。図１のＡＰ３からクレデンシャル及び状態情報を受信することに成功した後、図３のモバイルスマートフォン６０は、再関連付け要求（Re-association  Request）メッセージを図１のＡＰ３へ送る。ＡＰ３は、次いで、移動要求（Move  Request）メッセージを前のＡＰ（本例では、ＡＰ１である）へ送る。次いで、従来通りに、ＡＰ３は、再割り当て応答（Reassociation  Response）メッセージを図３のモバイルスマートフォン６０へ送ることによって、ハンドオフプロセスを完了する。
【００３８】
図１の部屋１〜４のうちの異なる部屋におけるＲＦＩＤタグ対の数が、図１に示されていない様式において等しくないとする。然るに、図３のプロセッサ６４は、部屋１、２、３及び４に夫々由来する応答ＲＦ信号に関連する第１の平均値、第２の平均値、第３の平均値及び第４の平均値を生成するよう、部屋１、２、３及び４に夫々あるＲＦＩＤタグ対の数によって第１、第２、第３及び第４の和又は累積的な大きさの夫々を除する。図３のプロセッサ６４は、第１、第２、第３及び第４の平均値の中で最も大きいものを選択するために、第１、第２、第３及び第４の平均値を互いに比較する。ハンドオフプロセスにおいて関連すべき最も適切な１つであるＡＰは、第１、第２、第３及び第４の平均値の中で最も大きいものに関連するＡＰであり得る。同様に、移動局６０が位置している部屋は、第１、第２、第３及び第４の平均値の中で最も大きいものに関連し得る。
【００３９】
加えて、プロセッサ６４は、図４の動作ブロック４０９で、そのようなＡＰがハンドオフプロセスにおいて関連すべき最も適切な１つであるとの且つそのような部屋が移動局６０が位置する部屋であるとの確率Ｐｋを計算する。これは、分子として第１、第２、第３及び第４の平均値の中で最も大きいものを、そして、分母として第１、第２、第３及び第４の平均値の総計を有している分数を計算することによって、行われる。
【００４０】
Ｓｉｊは、部屋ｉにおけるタグ対番号ｊからの最大ＲＳＳＩとして定義されるとする。部屋番号ｉは、“Ｒ”が部屋の総数でもあるように、値１、２、・・・又はＲを取る。タグ対番号ｊは、“Ｔｉ”が部屋ｉにおけるタグ対の総数でもあるように、値１、２、３、・・・又はＴｉを取る。
【００４１】
１．全ての部屋が同数のタグ対を有している場合に、全てのｉについてＴｉはＴに等しい。
【００４２】
夫々の部屋ｋについて、図３のＲＦＩＤリーダー６１は、部屋ｋに置かれているタグ対から得られた全ての最大ＲＳＳＩの和Ｓｋを計算する。Ｓｋｊは、部屋ｋにおけるタグ対番号ｊの最大ＲＳＳＩとして定義されるとする。当然、Ｓｋ＝ΣｊＳｋｊ；ｊ＝１，・・・，Ｔということになる。よって、図３のＲＦＩＤリーダー６１が置かれている可能性が高い部屋は、最も高い値Ｓｋが求められる部屋番号である。また、ユーザが部屋ｋに位置している確率Ｐｋは、Ｐｋ＝Ｓｋ／Ｓと推定され得る。このとき、Ｓは、全てのＳｋの総計、すなわち、Ｓ＝ΣｋＳｋである。同様に、モバイルスマートフォン６０が関連するよう望ましくは選択すべきＡＰは、最も高い値Ｓｋが求められる部屋ｋのＲＦＩＤタグに関連するＡＰである。
【００４３】
２．タグ対の数が全ての部屋で同じ分けではない場合に、Ｔｋは部屋ｋにあるタグ対の数を表す。
【００４４】
夫々の部屋ｋについて、図３のＲＦＩＤリーダー６１は、Ｓａｖｋと表される、部屋ｋに置かれたタグ対ｊからのＲＳＳＩの最大値の平均値を計算する。よって、Ｓｋ＝ΣｊＳｋｊ；ｊ＝１，２，・・・，Ｔｋとして、Ｓａｖｋ＝Ｓｋ／Ｔｋである。
【００４５】
図３のＲＦＩＤリーダー６１が位置している部屋は、Ｓａｖｋの最高値が求められる部屋番号である。ユーザが部屋ｋに位置している確率Ｐｋは、Ｐｋ＝Ｓａｖｋ／Ｓａｖと推定され得る。このとき、Ｓａｖは、全てのＳａｖｋの和、すなわち、Ｓａｖ＝ΣｋＳａｖｋ；ｋ＝１，２，・・・，Ｒである。同様に、モバイルスマートフォン６０が関連するよう望ましくは選択すべきＡＰは、最も高い値Ｓａｖｋが求められる部屋ｋのＲＦＩＤタグに関連するＡＰである。
【図１】
2017539154.tif 000003
【図２】
2017539154.tif 000004
【図３】
2017539154.tif 000005
【図４】
2017539154.tif 000006
【図５】
2017539154.tif 000007
【図６】
2017539154.tif 000008
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
無線通信ネットワークにおいてハンドオフ動作を行うよう構成される移動局であって、
問い合わせＲＦ信号を送信する長距離ＲＦＩＤ送信器と、
複数の位置に夫々位置している複数のＲＦＩＤタグにおいて生成される複数の応答ＲＦ信号を、前記問い合わせＲＦ信号に応答して受信することができるＲＦＩＤ受信段であり、夫々の応答ＲＦ信号は、当該応答ＲＦ信号を生成したＲＦＩＤタグの位置を識別する情報を含む、前記ＲＦＩＤ受信段と、
対応するアクセスポイントを識別する更なる情報を含む前記応答ＲＦ信号のうちの少なくとも１つを選択基準に従って選択し、当該移動局が前記ハンドオフ動作において関連するために複数のアクセスポイントの中から前記識別されたアクセスポイントを前記更なる情報に従って選択するよう構成されるプロセッサと
を有する移動局。
【請求項２】
前記プロセッサは、信号強度に従って、前記応答ＲＦ信号のうちの前記１つを選択するよう構成される、
請求項１に記載の移動局。
【請求項３】
前記選択された応答ＲＦ信号を前記選択されたアクセスポイントと関連付ける前記選択された応答ＲＦ信号に含まれる前記更なる情報は、前記ハンドオフ動作を行うために前記無線通信ネットワークのプロトコルにおいて当該移動局によって使用可能である、
請求項１又は２に記載の移動局。
【請求項４】
前記複数の応答ＲＦ信号は、前記複数の位置の中の第１の位置に関連した第１の複数の組と、前記複数の位置の中の第２の位置に関連した第２の複数の組とを含み、ＲＦ信号の各組は、ある距離によって互いから分離されている第１ＲＦＩＤタグ及び第２ＲＦＩＤタグを含む所与のＲＦＩＤタグ対によって生成され、
前記プロセッサは、前記第１の複数の組の中の第１及び第２の組に夫々含まれる第１応答ＲＦ信号及び第２応答ＲＦ信号の夫々の大きさである第１の大きさ及び第２の大きさを前記選択基準に従って選択するよう更に構成され、前記プロセッサは、前記第１の複数の組の前記選択された第１の大きさ及び第２の大きさを結合するよう構成され、
前記プロセッサは、前記第２の複数の組の中の第１及び第２の組に夫々含まれる更なる第１応答ＲＦ信号及び更なる第２応答ＲＦ信号の夫々の大きさである更なる第１の大きさ及び更なる第２の大きさを前記選択基準に従って選択するよう更に構成され、前記プロセッサは、前記第２の複数の組の前記選択された更なる第１の大きさ及び更なる第２の大きさを結合するよう構成され、
前記プロセッサは、前記第１の複数の組の前記結合された第１の大きさ及び第２の大きさを示す値を、前記第２の複数の組の前記結合された更なる第１の大きさ及び更なる第２の大きさを示す更なる値と比較し、該比較に従って、前記応答ＲＦ信号の中の前記選択された少なくとも１つに対応する位置を選択するよう更に構成される、
請求項１乃至３のうちいずれか一項に記載の移動局。
【請求項５】
前記選択された位置は、前記選択された位置にある複数のＲＦＩＤタグ対の中の対応するＲＦＩＤタグ対に関連する夫々の選択された大きさの和に従って、選択される、
請求項４に記載の移動局。
【請求項６】
前記選択された位置は、前記複数の位置の中の他の位置の夫々に関連する、同様にして求められた夫々の他の和よりも大きい前記和に従って、選択される、
請求項５に記載の移動局。
【請求項７】
当該移動局は、前記選択された位置にある対応するＲＦＩＤタグ対において生成される少なくとも１つの応答ＲＦ信号に含まれる情報に従って、前記選択されたアクセスポイントに適用可能なプロトコルを適用するよう構成される、
請求項４乃至６のうちいずれか一項に記載の移動局。
【請求項８】
動き検出器を更に有し、
前記ＲＦＩＤ送信器は、前記動き検出器が当該移動局の動きを検出した後に前記問い合わせＲＦ信号を送信するよう、前記動き検出器の出力に応答する、
請求項４乃至７のうちいずれか一項に記載の移動局。
【請求項９】
前記ＲＦＩＤタグ対の夫々は、所与の位置の複数の領域の中の対応する領域に夫々付随する、
請求項４乃至８のうちいずれか一項に記載の移動局。
【請求項１０】
前記距離は、前記所与のＲＦＩＤタグ対で生成される前記複数の応答ＲＦ信号の中のある応答ＲＦ信号の周波数に基づき、λ／４以上であり且つλ／２以下である、
請求項４乃至９のうちいずれか一項に記載の移動局。
【請求項１１】
問い合わせＲＦ信号に応答してＲＦＩＤ信号を送信するよう構成されるＲＦＩＤタグであって、
前記ＲＦＩＤ信号は、当該ＲＦＩＤタグの位置を識別する情報を含み、
前記ＲＦＩＤ信号は、ハンドオフ動作において関連するよう移動局によって複数のアクセスポイントの中から選択されるアクセスポイントを識別する更なる情報を更に含む、
ＲＦＩＤタグ。
【請求項１２】
第１ＲＦＩＤタグ及び第２ＲＦＩＤタグを含むＲＦＩＤタグの対であって、
前記第１ＲＦＩＤタグ及び前記第２ＲＦＩＤタグは、請求項１１に記載のＲＦＩＤタグであり、ある距離によって互いから更に分離される、
ＲＦＩＤタグの対。
【請求項１３】
前記距離は、前記問い合わせＲＦ信号に応答して生成される前記ＲＦＩＤ信号の周波数に基づき、λ／４以上であり且つλ／２以下である、
請求項１２に記載のＲＦＩＤタグの対。
【請求項１４】
無線通信ネットワークにおいてハンドオフ動作を行うためのコンピュータプログラムであって、
当該コンピュータプログラムは、
長距離ＲＦＩＤ送信器によって問い合わせＲＦ信号を送信し、
複数の位置に夫々位置している複数のＲＦＩＤタグにおいて生成される複数の応答ＲＦ信号を、前記問い合わせＲＦ信号に応答して受信し、夫々の応答ＲＦ信号は、当該応答ＲＦ信号を生成したＲＦＩＤタグの位置を識別する情報を含み、
対応するアクセスポイントを識別する更なる情報を含む前記応答ＲＦ信号のうちの少なくとも１つを選択基準に従って選択し、移動局が前記ハンドオフ動作において関連するために複数のアクセスポイントの中から前記識別されたアクセスポイントを前記更なる情報に従って選択する
ための、プロセッサによって実行されるプログラムコード命令を含む、
コンピュータプログラム。
【手続補正２】
【補正対象書類名】明細書
【補正対象項目名】００４５
【補正方法】変更
【補正の内容】
【００４５】
図３のＲＦＩＤリーダー６１が位置している部屋は、Ｓａｖｋの最高値が求められる部屋番号である。ユーザが部屋ｋに位置している確率Ｐｋは、Ｐｋ＝Ｓａｖｋ／Ｓａｖと推定され得る。このとき、Ｓａｖは、全てのＳａｖｋの和、すなわち、Ｓａｖ＝ΣｋＳａｖｋ；ｋ＝１，２，・・・，Ｒである。同様に、モバイルスマートフォン６０が関連するよう望ましくは選択すべきＡＰは、最も高い値Ｓａｖｋが求められる部屋ｋのＲＦＩＤタグに関連するＡＰである。  
上記の実施形態に加えて、以下の付記を開示する。
（付記１）
無線通信ネットワーク（図３の２００）においてハンドオフ動作を行うよう構成される移動局（図３の６０）であって、
問い合わせ無線周波数（ＲＦ）信号（アンテナ６３を介した６３ａ）を送信するＲＦ識別（ＲＦＩＤ）送信器（図３のｐ／ｏ６２）と、
複数の位置（部屋１〜４）に夫々位置している複数のＲＦＩＤタグ（１１，１２，・・・）において生成される複数の応答ＲＦ信号（１２１ａ，１２１ｂ，１１１ａ，１１１ｂ）を、前記問い合わせＲＦ信号に応答して受信することができるＲＦＩＤ受信段（図３のＰ／Ｏ６２）と、
対応するアクセスポイント（ＡＰ）（ＡＰ３）を識別する識別情報を含む前記応答ＲＦ信号のうちの少なくとも１つ（１２１ａ）を選択基準に従って選択し、当該移動局が前記ハンドオフ動作において関連するために複数のアクセスポイント（ＡＰ）（ＡＰ１，ＡＰ３）の中から前記識別されたＡＰを前記識別情報に従って選択するよう構成されるプロセッサ（６４）と
を有する移動局。
（付記２）
前記プロセッサは、信号強度に従って、前記応答ＲＦ信号のうちの前記１つ（１２１ａ）を選択するよう構成される、
付記１に記載の移動局。
（付記３）
前記選択された応答ＲＦ信号を前記選択されたＡＰと関連付ける前記選択された応答ＲＦ信号（１２１ａ）に含まれる前記情報は、前記ハンドオフ動作を行うために前記無線通信ネットワークのプロトコルにおいて当該移動局によって使用可能である、
付記１に記載の移動局。
（付記４）
無線通信ネットワーク（図３の２００）においてハンドオフ動作を行う移動局（図３の６０）であって、
無線周波数（ＲＦ）タグ対（１１，１２，１３，１４；２１，２２，２３，２４；３１，３２，３３，３４又は４１，４２，４３，４４）において配置されるＲＦ識別（ＲＦＩＤ）タグに適用される問い合わせＲＦ信号（アンテナ６３を介した６３ａ）を送信するＲＦＩＤ送信器（図３のｐ／ｏ６２）であり、所与のＲＦＩＤタグ対（例えば、１２）は、フェーディング効果を低減するためにある距離（ｄ）によって互いから分離されている第１ＲＦＩＤタグ（１２ａ）及び第２ＲＦＩＤタグ（１２ｂ）を含み、前記ＲＦＩＤタグ対の中の前記所与のＲＦＩＤタグ対は、前記問い合わせＲＦ信号に応答して、もしあるならば第１応答ＲＦ信号（１２１ａ）を、及びもしあるならば第２応答ＲＦ信号（１２１ｂ）を夫々生成することが可能である、前記ＲＦＩＤ送信器と、
前記第１応答ＲＦ信号及び前記第２応答ＲＦ信号の両方が生成される場合には、プロセッサによって受信される前記第１応答ＲＦ信号（１２１ａ）の大きさ（１２１ａのＲＳＳＩ）と前記プロセッサによって受信される前記第２応答ＲＦ信号（１２１ｂ）の大きさ（１２１ｂのＲＳＳＩ）との間の差に従って、前記大きさのうちの一方（１２１ａ及び１２１ｂの大きい方のＲＳＳＩ）を選択し、前記所与のＲＦＩＤタグ対が前記第１応答ＲＦ信号及び前記第２応答ＲＦ信号のうちの一方しか生成しない場合には、対応する１つの応答ＲＦ信号の大きさを選択するよう構成される前記プロセッサ（６４）と
を有し、
前記プロセッサは、複数の位置（部屋１〜４）の中から位置（部屋１）を選択するよう構成され、前記複数の位置の中の所与の位置（部屋１）は、シャドーイング効果を低減するように、対応する複数の前記ＲＦＩＤタグ対（１１，１２，１３，１４）を含み、前記所与の位置（部屋１）に含まれる前記複数のＲＦＩＤタグ対は、前記所与の位置にあるＲＦＩＤタグ対（１２，１１）に関連する複数の応答ＲＦ信号（１２１ａ，１２１ｂ，１１１ａ，１１１ｂ）のうちの少なくとも１つの対応する応答ＲＦ信号を生成し、前記選択された位置は、該選択された位置にある前記複数のＲＦＩＤタグ対に関連する複数の選択された大きさのうちの少なくとも１つの選択された大きさの和（１１１ａのＲＳＳＩ＋１２１ａのＲＳＳＩ）に従って選択され、
前記プロセッサは、前記選択された位置に従って、当該移動局が前記ハンドオフ動作において関連するアクセスポイント（ＡＰ）（ＡＰ３）を複数のアクセスポイント（ＡＰ）（ＡＰ１，ＡＰ３）の中から選択するよう更に構成される、移動局。
（付記５）
前記プロセッサは、前記選択された位置にある対応するＲＦＩＤタグ対において生成される少なくとも１つの応答ＲＦ信号に含まれる情報に従って、前記ＡＰを選択するよう構成される、
付記４に記載の移動局。
（付記６）
前記選択された位置は、前記選択された位置にある前記複数のＲＦＩＤタグ対の中の対応するＲＦＩＤタグ対に関連する夫々の選択された大きさの前記和に従って、選択される、
付記４に記載の移動局。
（付記７）
前記選択された位置は、前記複数の位置の中の他の位置の夫々に関連する、同様にして求められた夫々の和よりも大きい前記和に従って、選択される、
付記６に記載の移動局。
（付記８）
当該移動局は、前記選択された位置にある対応するＲＦＩＤタグ対において生成される少なくとも１つの応答ＲＦ信号に含まれる情報に従って、前記選択されたＡＰに適用可能なプロトコルを適用するよう構成される、
付記４に記載の移動局。
（付記９）
動き検出器（６７）を更に有し、
前記ＲＦＩＤ送信器（ｐ／ｏ６２）は、前記動き検出器が当該移動局の動きを検出した後に前記問い合わせＲＦ信号を送信するよう、前記動き検出器の出力（図３のｐ／ｏ・・・）に応答する、
付記４に記載の移動局。
（付記１０）
前記ＲＦＩＤタグ対の夫々は、前記所与の位置の複数の領域の中の対応する領域に夫々付随する、
付記４に記載の移動局。
（付記１１）
前記距離は、前記所与のＲＦＩＤタグ対で生成される前記複数の応答ＲＦ信号の中のある応答ＲＦ信号の周波数に基づき、λ／４以上であり且つλ／２以下である、
付記４に記載の移動局。
【国際調査報告】
2017539154.tif 000009
2017539154.tif 000010